(57)【要約】【課題】  ゴルフの練習やプレー中に必要な数個（３個が標準）のゴルフボール（ボールと略）を身に付けて携行する容器。地表等にあるボールをつかまずに収納でき、身に付けたままで取り出すことが可能とする2。【解決手段】  数個のボールを重ねて収容でき、上下が開口した筒型の容器であって、上開口部に弾性的な開閉が可能な上蓋が、下開口部の内側に、ボールの通過に抗する抵抗体が備えられ、前面上端にボールを上前方向に取出すための切欠きおよび指を挿入する長孔が設けられている。地表等にあるボールをつかむこと無く、その上に容器の下開口部を覆い被せ、押し下げて収容できる。前記長孔に指を挿入し、ボールを押上げ、上蓋を押し開いて上前方へ取り出す。着衣、ベルト等に留める留め具を備えている。【選択図】  図１
2019103591.tif 000002
【特許請求の範囲】
【請求項１】
上下が開口した筒型の容器であって、該容器の上開口部に蓋を備え、
該容器の側面上端に、上開口部と連続する切欠きを備え、
前記切欠きを備えた側面を含む少なくとも一側面に、指の挿入が可能な長孔を備え、
該容器の下開口部の内側に、ゴルフボールの通過に抗する抵抗体を備え、
該容器に、留め具を備えたことを特徴とするゴルフボールの携行容器。
【請求項２】
前記長孔は前記切欠き及び下開口部の片方または双方と連続していることを特徴とする請求項1に記載のゴルフボールの携行容器。
【請求項３】
前記容器の下開口部に、蓋を設けたことを特徴とする請求項1または２に記載のゴルフボールの携行容器。
【発明の詳細な説明】
【技術分野】
【０００１】
本発明は、ゴルフ練習中やプレー中に必要な数個のゴルフボール（以下、単にボールと記す。）を身に付けて携行する容器に関する。
【０００２】
予備等のボールを携行する際は、着衣のポケットに入れるか、又は布等で作られた袋に入れて着衣やベルト等に付けて携行している。
多数のボールの携行が必要な場合には、ゴルフバックに設けられた収容袋等に納めて運ばれるが、ゴルフバッグはいつも身近に有るものとは限らず、本発明の「身に付けて携行」には該当していない。
【背景技術】
【０００３】
一般に、３個単位のボールが、正方形断面の角筒状の容器に納められ販売されている。本発明の携行容器は、この販売時の容器としても用いることが可能で、販売時にのみ有用な従来の容器に較べ無駄にならない。
【０００４】
本発明の携行容器は、地表又は床にあるボールを手で掴むことなく、容易に収容（ビックアップ）できる事や、身に付けたままでのボールの出し入れが可能である。袋のようにファスナー等の開閉が不要なので簡便に使用できる。
【０００５】
下記、特許文献１の「ゴルフ用具携帯用ホルダー」は、ティー、マーカー、ゴルフボール等ゴルフ用具の簡易な携帯用ホルダーとしている。これは、平板にボール、ティー等を収納する袋体を設けるもので、各袋体にはボール、ティー各１個が収容されるものが示されている。
本発明では、複数個（３個を標準とする）のボールを収納する筒状の容器であり、特許文献１とは基本的に異なっている。
本発明においても、ティー、マーカー等を収納する部分を設けることは容易である。
【０００６】
特許文献２の「ゴルフボール携帯具」は、シート基材を接着して、袋状収納体を構成し、複数個のボール（２個の場合が示されている）を収納するもので、封着具（ファスナー）及び腰のベルトに垂下するように取り付ける懸吊具が設けられている。
特許文献２の袋状収容体の構成も本発明とは異なるものである。
【先行技術文献】
【特許文献】
【０００７】
【特許文献１】実登３１１４３９１
【特許文献２】実開平２−１３０６６７
【発明の概要】
【発明が解決しようとする課題】
【０００８】
本発明は、ゴルフの練習やプレーをする際のボールやＯＢ等によって紛失した場合のための、予備ボールを身に付けて携行する容器に関するもので、身体に取り付け易く、ボールの収容、取出しも容易で構造簡単な携行容器を提供することを課題としている。また、この携行容器は販売時のゴルフボール容器としての利用も可能で、販売後には無用となる従来容器の無駄を省くことができる。
【課題を解決するための手段】
【０００９】
請求項１に記載のように、
上下が開口した筒型の容器であって、該容器の上開口部に蓋を備え、
該容器の側面上端に、上開口部と連続する切欠きを備え、
前記切欠きを備えた側面を含む少なくとも一側面に、指の挿入が可能な長孔を備え、
該容器の下開口部の内側に、ゴルフボールの通過に抗する抵抗体を備え、
該容器に、留め具を備えたことを特徴とするゴルフボールの携行容器。
【００１０】
請求項２に記載のように、
前記長孔は前記切欠き及び下開口部の片方または双方と連続していることを特徴とする請求項1に記載のゴルフボールの携行容器。
【００１１】
請求項３に記載のように、
前記容器の下開口部に、蓋を設けたことを特徴とする請求項1または２に記載のゴルフボールの携行容器。
【００１２】
本発明の携行容器（容器と略称）の筐体は、断面が正方形や多角形の角筒または円形の円筒である。前記切欠きを設けた側面を前面と称し、それに対応して、左側面、右側面及び背面との呼称も用いている。
収容したボールの取出しは側面に設けた、前記長孔に指を挿入し、ボールを押し出す方法を採っている。
腰ベルトやスカートの縁等への取付けと、フックで吊り下げる方法を提示している。
なお、容器本体の剛性が高い場合には、前面に設けた長孔を、前面上端の切欠き及び下開口部の片方または双方と連続した孔としても良く、この場合は挿入した指を上方へ通過させる事ができ、容器からの取出しが一層容易になる。
【発明の効果】
【００１３】
本発明の容器は、プレーヤーの着衣、主として腰のベルトに取り付けて携行する。収容するボールの個数は数個、標準的には３個とし、２~５個程度である。これより多数のボールの携行が必要な時は、身に付けない方法を採るのが適当であろう。
【００１４】
この容器へのボールの収容は、主として下の開口部から、取出しは上の開口部からとしている。しかし、上下どちらの開口部からでも、収容、取出しが可能である。特に、この容器は、身に付けたままでの取出しが容易であり、特徴の一つとしている。
【００１５】
上開口部からの取出しは、指を長孔に差し込み、ボールを上方に押し上げ、蓋を押し開けて、ボールを上前方に押し出して取り出す。
下開口部からの取出しは、ボールの上面を指で押し下げ、抵抗体に抗して押し出す。
【００１６】
地表や床にあるボールの収容（ピックアップ）は、ボールを手に持つことなく、ボールの上に容器の下開口部を覆いかぶせ押し下げる。ボールは抵抗体に抗して、容器内に取り込まれ、容器を持ち上げても自然にはボールは落下しない。
上開口部からのボールの収容は、上開口部からの取出しと逆の操作（行程）で行うことができる。
【図面の簡単な説明】
【００１７】
以下に、図面の簡単な説明を記す。
【図１】角筒型の携行容器の斜視図
【図２】角筒型の携行容器。（ａ）平面図、（ｂ）正面図、（ｃ）下面図（ｄ）Ａ−Ａ矢視断面図
【図３】角筒型の携行容器。（ａ）背面図、（ｂ）左側面図
【図４】吊り下げ具。（ａ）正面図、（ｂ）側面図
【図５】（ａ）抵抗体（半円）、（ｂ）抵抗体部のスリット
【図６】地表のボールの収容。（ａ）覆い被せる、（ｂ）押込む、（ｃ）収容
【図７】抵抗体（弾）のボールの収容。（ａ）覆う、（ｂ）押込む、（ｃ）収容
【図８】抵抗体（板）。（ａ）断面図、（ｂ）矢視Ｂ−Ｂ下面図（抵抗体は左右）、（ｃ）矢視Ｂ−Ｂ下面図（抵抗体は前後左右）
【図９】（ａ）上方へのボールの取出し、（ｂ）下方へのボールの押出し
【図１０】円筒型の携行容器。（ａ）斜視図（左側面にも長孔）、（ｂ）断面図
【図１１】下部蓋。（ａ）斜視破断図、（ｂ）断面図
【図１２】螺子で取付けの留め具。（ａ）矢視Ｃ−Ｃ断面図（平面図）、（ｂ）螺子留め部の拡大図、（ｃ）螺子留め部の正面図、（ｄ）側面図（左側面にも長孔）
【図１３】円筒へ螺子で取付けた留め具。（ａ）平面図（蓋と桟を省く）、（ｂ）留め具９ｅの斜視図
【図１４】容器の正面図。（ａ）切欠きと長孔との連続孔、（ｂ）長孔と下開口部との連続孔、（ｃ）長孔と切欠き、下開口部との連続孔
【発明を実施するための形態】
【００１８】
本発明の携行容器の筐体は筒状である。筒は、断面が正方形や六、八角形の角筒または円形の円筒の何れでも良いが、実施形態における説明は主として断面が正方形の角筒について述べ、円形の筒についても述べる。
【００１９】
図１は、断面が正方形である角筒で成る容器１の斜視図である。図２はその投影図であり、（ａ）平面図、（ｂ）正面図、（ｃ）下面図、（ｄ）Ａ−Ａ矢視の断面図である。
この容器１の筐体、角筒１ａは、収容するゴルフボール２（ボール２と略す）の直径より少し大きい内寸法を持つ断面の筒である。高さは、収容する個数のボール２を、重ねて収容し、少しのゆとりがある高さとする。
収容可能なボールの個数は、数個としているが、ここでは標準的な3個の場合を述べる。
【００２０】
角筒１ａの上下部は開口しており、上開口部１３には蓋３が、下開口部１４の内側にはボールの通過に抗する抵抗体が備えられ、ここでは半円状の抵抗体（半円）１２を示している。蓋３は密閉ではなく、ボール２が自然には転出できないものであれば良い。
【００２１】
図１、２に示すように、側面の一つ、前面の板４の上端には切欠き４ａが設けられ、この切欠き４ａと上開口部１３とは連続した開口を形成している。この切欠き４ａは、ボール２を取出す際、真上方向ではなく上前方向に取出すためのもので、ボール２の下部が通過可能なものとし、円弧状のものが望ましい。
【００２２】
前面の板４には、前記切欠き４ａの下方から下開口部１４の近くに至る長さであって、指１６の挿入が可能な幅の長孔４ｂが設けられている。
筐体である筒が、材質や肉厚等から、剛体と看做し得れば、前記切欠き４ａと前記長孔４ｂ、または前記長孔４ｂと下開口部１４とを連続した孔としても良い。この連続した孔は図１４に示されている。
なお、９はベルト等への留め具、９ａは留め具９の抜け止め、１０はベルトである。
【００２３】
図２（ａ）の平面図において、蓋３の桟３ｂは、背面の板５と左側面の板６および右側面の板７の上端の一部を連結固定している。蓋３の後端は桟３ｂの前端に接続され一体と成っている。
通常、上開口部１３は蓋３によって、容器１を横置した場合でも、ボール２が自然には転出しない程度に塞がれている。
上開口部１３と切欠き４ａからボール２を取り出す時には、ボール２で蓋３を押上げて開く。蓋３は図２（ｄ）に示されている開状態の蓋（仮想線）３ａの様に、弾性的に変形し（曲がり）、ボール２を取出すことができる。仮想線で示しているボール１７は取出し途中のボールを示している。
図２では、蓋３の板材の弾性的な変形により開く様子を示しているが、蓋３と桟３ｂとの接合部を弾性的復帰が可能なヒンジで構成してもよい。
【００２４】
図２（ｂ）の正面図には、容器１の前面の板４の上端に、半円に近い切欠き４ａが示されている。切欠き４ａの直ぐ下方から下端近くに至る長さの、指の挿入が可能な幅の長孔４ｂが設けられている。
前面の板４の左下の一部は部分断面とされ、左側面の板６に設けられた抵抗体（半円）１２が明示されている。右側面の板７に設けられた抵抗体（半円）１２は隠れ線（破線）で示されている。
図２（ｃ）下面図に示されるように、この実施例での抵抗体（半円）１２は左右側面の板６、７の内側下端に設けられているが、前面の板４、背面の板５の内側下端にも設けても良い。
図２（ｄ）は矢視断面図Ａ−Ａである。背面の板５には、留め具９が一体状に設けられている。
【００２５】
図３（ａ）は、容器１の背面図であり、（ｂ）は左の側面図である。留め具９と抵抗体（半円）１２が示されている。
図３に仮想線（細線）で示された留め具９ｃは、左側面の板６に設けられている。留め具を背面以外の位置に備える場合を例示している。なお、後述の図１２、１３には、取付取外しが可能な留め具９ｄ、９ｅを示している。
留め具９の中央上部に設けられた溝９ｂは、図４に示す吊り下げ具１１を装着するためのものである。
【００２６】
図４は容器１に、吊り下げ具１１を装着した図であり、（ａ）は正面図、（ｂ）は側面図である。
吊り下げ具１１は、フック１１ａ、紐１１ｂ、棒１１ｃの組で成り、ゴルフバッグ等、着衣以外への装着にも便利である。
なお、留め具は着衣等への固定に、吊り下げ具はルーズな装着に供するものである。留め具や吊り下げ具は、他の方法でも良い。
【００２７】
図５（ａ）は容器１の下部を破断して示した部分断面図である。左右側面の板６、７の内側下端に抵抗体（半円）１２が設けられている。
ボール２を通過させるとき、左右側面の板６、７は弾性的に変形する必要がある。変形させる力（抵抗）が大き過ぎるとボール２の通過に強い力が必要になる。このため、図５（ｂ）に示すように、左右側面の板６、７の下端に数本の切込み（スリット１２ｃ）を設けても良い。この切込み１２ｃは、内側にある抵抗体（半円）１２も同様に切り込まれている。
【００２８】
図６は容器１の下方部のみを示しており、地面（又は床）８にあるボール２を容器１に収容する行程を示している。
図６（ａ）は、容器１の下端をボール２に覆い被せた状態、（ｂ）は押し込み途中、（ｃ）は押込みが完了し、ボール２が収容された状態である。矢印１５は容器１を押し込む方向を示している。
なお、図６では容器１の切断線２６より下方のみを示し、破断線２６ａより下方を断面図として抵抗体（半円）１２を明示している。
【００２９】
図７も、地面（又は床）８にあるボール２を容器１に収容する行程を示している。ただし、容器１には既に１個のボール２が収容されている事と、抵抗体が弾性変形する三角形の抵抗体（弾）１２ａであることが図６とは異なっている。
抵抗体（弾）１２ａはゴムやスポンジの様な、弾性変形が可能な材料で成り、ボール２の通過に際して、左右側面板６、７は余り変形しなくてもよい。また、この抵抗体（弾）１２ａはボール２に付着している汚れを落とす等の効果も期待できる。
【００３０】
図８の抵抗体は、（ａ）に示す様に、弾性的な変形をする板状の抵抗体（板）１２ｂである。容器材料の下端を折り曲げて構成しても良い。（ｂ）は矢視Ｂ−Ｂの下面図であり、抵抗体（板）１２ｂは左右側面の板６、７に設けられている。（ｃ）での抵抗体（板）１２ｂは左右側面の板６、７と前面の板４、背面の板５の４か所に設けられている。抵抗体を設ける数は位置は、ボール２の出し入れの抵抗力等を勘案して選択される。
抵抗体（半円）１２、抵抗体（弾）１２ａに就いても、前面の板４、背面の板５にも設ける事もできる。
【００３１】
図９（ａ）は前面の板４の長孔４ｂに指１６を差し込んで、蓋３を押し開け、切欠き４ａなどから、ボール１７を上前方向に取り出している様子である。この操作は、容器１を着衣に装着したままで行う事ができ、本発明の特長の一つとしている。なお、矢印１５は指１６がボール１７を押す力の方向である。
図9（ｂ）は前面の板４の長孔４ｂに指１６を差し込んで、ボール１７を下方に押し、取り出している状態である。矢印１５はボール１７を押す力の方向である。
なお、ボール２は下から収容し、上へ取り出すことを基本としているが、上下のどちらからでも収容、取出しが可能である。
【００３２】
図１０は円筒２１による第２の実施形態である。容器１の筐体を、角筒１ａに代えて、円形断面の円筒２１としたものである。基本的な機能は、角筒１ａの場合と変わらない。
筐体が円筒なので、前面の板、側面の板などの平板の部分は無い。従って、側面は、切欠き（円）２４ａ、が設けられる面を前面、その反対を背面として、矢印２４、２５で前面の方向、背面の方向を図示している。前面に対する左面、右面との呼称も用いる。
【００３３】
円筒２１の上部と下部は開口しており、上部には蓋（円）２３と蓋の桟（円）２３ｂが設けられ、下部内面の抵抗体１２も、角筒１ａの場合と同様に設けられている。前面の上部の切欠き（円）２４ａ、長孔（円）２４ｂ及び、背面に留め具９も同様に設けられている。２３ａはボールを取出す途中の開状態の蓋（円）を、１７は取出し途中のボールを示している。
【００３４】
容器１の下開口部１４からボール２が転出（落下）しないのは、抵抗体１２が必要な抵抗を与えているからである。ボール２の汚れ、容器の変形や弾性力の低下等で抵抗力が減少する事も考えられる。このため、容器１の下開口部１４を開閉自在に塞ぐ下部蓋３１を設けても良い。
【００３５】
図１１は、下部蓋３１の実施形態である。図１０に示した円筒２１に、下部蓋３１を設けた場合であり、説明に必要な容器の下部のみを切断して示している。
図１１（ａ）は、円筒２１の下部の内部を露出させるために破断した斜視図で示している。（ｂ）は断面図である。
図１１の下部蓋３１はＬ字型にほぼ直角に曲折している。その一端は円筒２１の背面の下端に固定して設けられた桟３４に、ヒンジ３３で回動可能に取り付けられている。他端には、閉状態を保つための突起３２が設けられている。
【００３６】
下部蓋３１を閉じる時は、下部蓋３１を少し弾性変形させ、長孔２４ｂの下縁に、突起３２を係止させる。
長孔２４ｂの下縁を利用しないで、専用の孔を設けてもよい。３１ａは半開きの下部蓋（仮想線）である。
下部蓋３１は、下開口部１４の全体を塞ぐ必要は無く、ボール２が通過できない程度の狭い幅の板、または一本の棒状のものでも良い。
【００３７】
図１２と図１３に示す留め具９ｄ、９ｅは、既述のような、容器１と一体的に成型または接着されたものではない。これらは、取付取外し及び取付位置の変更も可能である留め具の実施形態を示している。９ｄは角筒１ａに対するもの、９ｅは円筒２１に対する留め具である。
【００３８】
図１２（ｂ）の拡大図は、角筒１ａの背面の板４に螺子９ｇで固定した留め具９ｄの例を示す。容器内となる螺子９ｇの小ねじの頭は、ボール２の通過の邪魔にならないように、薄い方が良い。
なお、ここでは螺子９ｇで固定しているが、固定方法はこれに限らない。
図１２（ａ）の９ｆは左右側面の板６、７にある螺子孔の位置であり、留め具９ｄを側面の板に付け替えるためのものである。
図１２（ｃ）は留め具９ｄを正視したもので、２個の螺子９ｇで固定している。
図１２（ｄ）は、左側面図である。
【００３９】
図１３（ａ）は、円筒２１に取り付けた留め具９ｅの平面図であり、（ｂ）は留め具９ｅ単体の斜視図である。留め具９ｅの上端にある螺子で止める部分、鍔（つば）９ｊ、は円筒２１に添うように円弧状である。２個の螺子孔９ｆが設けられている。
円筒２１に対する留め具９ｅの取り付け位置は、螺子孔９ｆの位置を変えれば、任意に選ぶことができる。これは、角筒１ａに対してはではできない事で、円筒２１の特長である。
図１３（ａ）では、背面方向（円）２５に取り付けた留め具９ｅと、図示の、角θが約６０°である方向に取り付けた留め具９ｈを仮想線（細線）で示している。９ｉは取付孔の位置である。
【００４０】
容器１の筐体、即ち筒について、材質や構造から生じる変形に対する剛性が十分高ければ、前面の長孔４ｂ、２４ｂと切欠き４ａ、２４ａ及び下開口部１４の片方、又は双方とを繋いで連続させ、指１６を通過できるようにしても良い。連続させると、ボール２の取出しがさらに容易になる。
【００４１】
図１４は容器１の正面図である。角筒１ａの場合と円筒２１の場合とは同様であり、ここでは、角筒１ａの場合について述べる。
図１４（ａ）は、切欠き４ａと長孔４ｂとが繋がった連続孔としており、ボール２を上開口部１３から取り出す際に、指の通り抜けができるので、より容易に取り出すことができる。
図１４（ｂ）は、長孔４ｂと下開口部１４とを連続させており、最下位のボール２を上へ移動させる事が容易になる。
図１４（ｃ）は、切欠き４ａから下開口部１４まで繋がっており、指１６を下から上まで容易に移動、通過させることが可能で、ボールの取出しが一層容易になる。
【符号の説明】
【００４２】
１        容器
１ａ      角筒
２        ゴルフボール
３        蓋
３ａ      開状態の蓋（仮想線）
３ｂ      蓋の桟
４        前面の板
４ａ      前面の切欠き
４ｂ      前面の長孔
５        背面の板
６        左側面の板
７        右側面の板
８        地面（又は床）
９        留め具
９ａ      留め具の抜け止め
９ｂ      留め具の溝
９ｃ      左側面に設けられた留め具（仮想線）
９ｄ      角筒へ螺子で取付けられた留め具
９ｅ      円筒へ螺子で取付けられた留め具
９ｆ      螺子の孔
９ｇ      留め具を固定する小螺子とナット
９ｈ      取付位置を移した螺子で固定の留め具（仮想線）
９ｉ      螺子の孔がある位置
９ｊ      円筒に取付ける留め具の円弧状の鍔（ツバ）
１０      ベルト
１１      吊り下げ具
１１ａ    フック
１１ｂ    紐
１１ｃ    棒
１２      抵抗体（半円）
１２ａ    抵抗体（弾）
１２ｂ    抵抗体（板）
１２ｃ    切込み（スリット）
１３      上開口部
１４      下開口部
１５      押す方向
１６      指
１７      収容又は取出し途中のボール
２１      円筒
２３      蓋（円）
２３ａ    開状態の蓋（円）（仮想線）
２３ｂ    蓋（円）の桟
２４      前面の方向（円）
２４ａ    切欠き（円）
２４ｂ    長孔（円）
２５      背面の方向（円）
２６      切断線
２６ａ    破断線
３１      下部蓋
３１ａ    開状態の下部蓋（仮想線）
３２      下部蓋の突起
３３      下部蓋のヒンジ
３４      下部蓋の桟  
【図１】
2019103591.tif 000003
【図２】
2019103591.tif 000004
【図３】
2019103591.tif 000005
【図４】
2019103591.tif 000006
【図５】
2019103591.tif 000007
【図６】
2019103591.tif 000008
【図７】
2019103591.tif 000009
【図８】
2019103591.tif 000010
【図９】
2019103591.tif 000011
【図１０】
2019103591.tif 000012
【図１１】
2019103591.tif 000013
【図１２】
2019103591.tif 000014
【図１３】
2019103591.tif 000015
【図１４】
2019103591.tif 000016
【手続補正書】
【提出日】平成30年2月23日(2018.2.23)
【手続補正１】
【補正対象書類名】特許請求の範囲
【補正対象項目名】全文
【補正方法】変更
【補正の内容】
【特許請求の範囲】
【請求項１】
上下が開口した筒型の容器であって、該容器の上開口部に、弾性的に開閉される蓋を備え、
該容器の側面上端に、上開口部と連続しており、ゴルフボールの下方、過半分を通過させ得る大きさの切欠きを備え、
前記切欠きを備えた側面を含む少なくとも一側面に、指の挿入が可能な横幅であって、上下方向に長い長孔を備え、
該容器の下開口部の内側に、ゴルフボールの通過に抗する抵抗体を備え、
該容器に、留め具を備えたことを特徴とするゴルフボールの携行容器。
【請求項２】
前記長孔は前記切欠きまたは下開口部と連続していることを特徴とする請求項1に記載のゴルフボールの携行容器。
【請求項３】
前記容器の下開口部の中央部に幅の狭い蓋を設けたことを特徴とする請求項1または２に記載のゴルフボールの携行容器。
【手続補正２】
【補正対象書類名】明細書
【補正対象項目名】０００９
【補正方法】変更
【補正の内容】
【０００９】
請求項１に記載のように、
上下が開口した筒型の容器であって、該容器の上開口部に、弾性的に開閉される蓋を備え、
該容器の側面上端に、上開口部と連続しており、ゴルフボールの下方、過半分を通過させ得る大きさの切欠きを備え、
前記切欠きを備えた側面を含む少なくとも一側面に、指の挿入が可能な横幅であって、上下方向に長い長孔を備え、
該容器の下開口部の内側に、ゴルフボールの通過に抗する抵抗体を備え、
該容器に、留め具を備えたことを特徴とするゴルフボールの携行容器。
【手続補正３】
【補正対象書類名】明細書
【補正対象項目名】００１０
【補正方法】変更
【補正の内容】
【００１０】
請求項２に記載のように、
前記長孔は前記切欠きまたは下開口部と連続していることを特徴とする請求項1に記載のゴルフボールの携行容器。
【手続補正４】
【補正対象書類名】明細書
【補正対象項目名】００１１
【補正方法】変更
【補正の内容】
【００１１】
請求項３に記載のように
前記容器の下開口部の中央部に幅の狭い蓋を設けたことを特徴とする請求項1または２に記載のゴルフボールの携行容器。